(57)【要約】 【課題】歩行が困難な者であっても開き動作を容易にすることができる手摺及び開き扉を提供する。【解決手段】手摺３０を、第一頂部３１と、第二頂部３２と、第三頂部３３を有し、略Ｗ字状に形成し、左右の端部で開き扉１０の後面１０ｂに固着する。第一頂部３１を含んで、第一頂部３１と第三頂部３３との間の部分を第一押圧部３４とし、第二頂部３２を含んで、第二頂部３２と第二頂部３２に近い側の右端部３０ｂとの間の部分を第二押圧部３５とする。第一押圧部３４を、平面視において、開き扉１０の後面１０ｂに対して、４５°傾斜するように形成されている直線部３４ａを有する構成とする。第二押圧部３５を、平面視において、開き扉１０の後面１０ｂに対して９０°の角度を有するように形成されている直線部３５ａを有する構成とする。【選択図】図１
0003181965.tif 000002
【実用新案登録請求の範囲】
【請求項１】
ドア枠内に開閉自在に配設され、少なくとも一方の面を押すことで開く開き扉の、押す側の面に取り付けられる手摺であって、
前記開き扉に取り付けられた状態における平面視において、
前記開き扉と反対側に突出するように形成された第一頂部と、前記第一頂部より前記開き扉の回動軸側に位置して前記開き扉と反対側に突出するように形成された第二頂部と、前記第一頂部と前記第二頂部との間に位置して前記開き扉側に突出するように形成された第三頂部と、を有して略Ｗ字状に形成され、
前記第一頂部を含んで、前記第一頂部と前記第三頂部との間の部分が第一押圧部とされ、
前記第二頂部を含んで、前記第二頂部と前記第二頂部に近い側の端部との間の部分が第二押圧部とされていることを特徴とする手摺。
【請求項２】
前記第一頂部の最大突出位置が、前記第二頂部の最大突出位置より、前記押す側の面から近い位置にあることを特徴とする請求項１記載の手摺。
【請求項３】
前記第二頂部と前記第三頂部との間の部分には、手で把持可能に形成された把持部が、前記開き扉に取り付けられた状態における平面視において、前記開き扉の回動軸から遠ざかる側に突出して配設されていることを特徴とする請求項１又は２記載の手摺。
【請求項４】
前記第一押圧部は、前記開き扉が第一設定角度に開いたときに、前記開き扉に取り付けられた状態における平面視において、前記ドア枠を構成する一対の縦枠を結んだ線に対して略平行となるように、前記押す側の面に対して角度を有して配設される部分を有し、
前記第二押圧部は、前記開き扉が前記第一設定角度より大きい角度に設定された第二設定角度に開いたときに、前記開き扉に取り付けられた状態における平面視において、前記ドア枠を構成する前記一対の縦枠を結んだ線に対して略平行となるように、前記押す側の面に対して角度を有して配設される部分を有していることを特徴とする請求項１又は２記載の手摺。
【請求項５】
前記第一押圧部は、前記開き扉が第一設定角度に開いたときに、前記開き扉に取り付けられた状態における平面視において、前記ドア枠を構成する一対の縦枠を結んだ線に対して略平行となるように、前記押す側の面に対して角度を有して配設される部分を有し、
前記第二押圧部は、前記開き扉が前記第一設定角度より大きい角度に設定された第二設定角度に開いたときに、前記開き扉に取り付けられた状態における平面視において、前記ドア枠を構成する前記一対の縦枠を結んだ線に対して略平行となるように、前記押す側の面に対して角度を有して配設される部分を有していることを特徴とする請求項３に記載の手摺。
【請求項６】
前記把持部は、前記開き扉が前記第一設定角度以上前記第二設定角度以下の所定の角度に開いたときに、前記開き扉に取り付けられた状態における平面視において、前記ドア枠を構成する一対の縦枠を結んだ線に対して略平行となるように配設されていることを特徴とする請求項５記載の手摺。
【請求項７】
請求項１〜６のいずれか一項に記載の手摺を備えていることを特徴とする開き扉。
【考案の詳細な説明】
【技術分野】
【０００１】
本考案は、歩行が困難な者が利用する住宅、施設等に設置される手摺及び開き扉に関するものである。
【背景技術】
【０００２】
近年、歩行が困難な者が利用する住宅、施設等をバリアフリー化することが提唱されている。
【０００３】
これに対し、特許文献１に記載される高齢者対応の部屋構造があり、それによれば、壁面の所定高さに手摺が設けられた部屋の扉に、壁面に取り付けられている手摺と同じ高さに手摺状把手が略全幅にわたって設けられるとともに、平面視において部屋の扉に対して平行となるように配置されていた。
【先行技術文献】
【特許文献】
【０００４】
【特許文献１】特開平９−１００６１１号公報
【考案の概要】
【考案が解決しようとする課題】
【０００５】
しかし、上記の高齢者対応の部屋構造では、手摺状把手を手前側に引っ張って開ける構造となっており、部屋の扉の回転領域から離れて部屋の扉を開閉しなければならず、歩行が困難等で車椅子に乗っている者には、部屋の扉を開閉することは困難であった。
【０００６】
また、部屋の扉の蝶番を取り換えて、手摺状把手を押して開ける構造としても、図７に参照するように、部屋の扉１００と平行に配置されている手摺状把手１０１が、手で押す部分が部屋の扉の回動に伴い人から離れていくとともに、部屋の扉の開き角度が大きくなるにつれて手で押しづらくなり、開き動作がしにくいという問題があった。
【０００７】
本考案は、上記事情に鑑み、歩行が困難な者であっても開き動作を容易にすることができる手摺及び開き扉を提供することを目的とする。
【課題を解決するための手段】
【０００８】
請求項１記載の考案では、ドア枠内に開閉自在に配設され、少なくとも一方の面を押すことで開く開き扉の、押す側の面に取り付けられる手摺であって、開き扉に取り付けられた状態における平面視において、開き扉と反対側に突出するように形成された第一頂部と、第一頂部より開き扉の回動軸側に位置して開き扉と反対側に突出するように形成された第二頂部と、第一頂部と第二頂部との間に位置して開き扉側に突出するように形成された第三頂部と、を有して略Ｗ字状に形成され、第一頂部を含んで、第一頂部と第三頂部との間の部分を第一押圧部とし、第二頂部を含んで、第二頂部と第二頂部に近い側の端部との間の部分を第二押圧部としている。
【０００９】
これによれば、開き扉の回動軸から遠い側に位置する第一押圧部が、手で押され開き扉の回動に伴って人から離れていっても、開き扉の回動軸に近い側に位置する第二押圧部を手で押すことが可能となる。換言すれば、第一押圧部、第二押圧部の順に、開き扉の回動に応じて手で押すことが可能な位置に段階的に移動し、開き扉の開き角度が大きくなっても、体全体を移動させずに手の可動範囲内で押すことが可能となる。
【００１０】
よって、歩行が困難な者であっても、開き扉の開き動作を容易にすることができる。
【００１１】
また、第一頂部の最大突出位置が、第二頂部の最大突出位置より、開き扉の押す側の面から近い位置にあるように形成している。
【００１２】
これによれば、第一頂部の突出量が小さいと、第一頂部と第三頂部との間の第一押圧部も突出量が小さくなる。換言すれば、第一押圧部は、開き扉の回動軸からの距離が遠く開き扉の開き動作に必要な力は小さいので、開き扉の押す側の面からの位置を、開き扉の回動軸からの距離が近い第二押圧部のように、開き扉の押す側の面から離す必要がなくなる。よって、開き扉から突出する部分が少なくなり、開き扉付近の有効スペースを広くすることができる。
【００１３】
また、第二頂部と第三頂部との間の部分に、手で把持可能に形成された把持部を、開き扉に取り付けられた状態における平面視において、開き扉の回動軸から遠ざかる側に突出して配設すれば、第一押圧部と第二押圧部との間に補助的な動作位置を有することになるので、開き扉の開き動作をスムーズに行なうことが可能となる。
【００１４】
また、第一押圧部は、開き扉が第一設定角度に開いたときに、開き扉に取り付けられた状態における平面視において、ドア枠を構成する一対の縦枠を結んだ線に対して略平行となるように、開き扉の押す側の面に対して角度を有して配設される部分を有し、第二押圧部は、開き扉が第一設定角度より大きい角度に設定された第二設定角度に開いたときに、開き扉に取り付けられた状態における平面視において、ドア枠を構成する一対の縦枠を結んだ線に対して略平行となるように、開き扉の押す側の面に対して角度を有して配設される部分を有する構成としている。
【００１５】
これによれば、開き扉が、第一設定角度及び第二設定角度の開き角度になったときに、第一押圧部及び第二押圧部は、それぞれドア枠を構成する一対の縦枠を結んだ線に対して略平行な部分が生じ、開き扉が、第一設定角度及び第二設定角度付近の開き角度になったときに、第一押圧部及び第二押圧部を手で押しやすい状態とすることが可能となる。
【００１６】
また、把持部を、開き扉が第一設定角度以上第二設定角度以下の所定の角度に開いたときに、開き扉に取り付けられた状態における平面視において、ドア枠を構成する一対の縦枠を結んだ線に対して略平行となるように配設すれば、開き扉が、所定角度付近の開き角度になったときに、把持部を手で押しやすい状態とすることが可能となる。
【００１７】
また、請求項７記載の考案では、請求項１〜６のいずれか一項に記載の手摺を備えている開き扉としている。
【図面の簡単な説明】
【００１８】
【図１】本考案における一実施形態の手摺が開き扉に取り付けられた状態を示す斜視図である。
【図２】同実施形態の平面図である。
【図３】同実施形態の側面図である。
【図４】開き扉及び手摺の動作説明図である。
【図５】開き扉及び手摺の動作説明図である。
【図６】開き扉及び手摺の動作説明図である。
【図７】従来の高齢者対応の部屋構造における部屋の扉を押して開く態様としたときの動作説明図である。
【考案を実施するための形態】
【００１９】
本考案における手摺の第１の実施形態を図面に基づいて説明する。以下の説明では、図１の矢印の、Ｆを前、ＲＥを後ろ、Ｒを右、Ｌを左、Ｕを上、Ｄを下、とする。
【００２０】
開き扉１０は、慨略的には、図１に示すように、出入り口に設置されるドア枠２０内に配設され、歩行が困難な者であっても開き動作を容易にするものである。
【００２１】
ドア枠２０は出入口に設置され、図１に示すように、上下方向に沿って配設される左縦枠体２１及び右縦枠体２２と、左右方向に沿って配設される上横枠体２３と、を有している。
【００２２】
開き扉１０は、図１、図２、図３に示すとおり、金属製で前面１０ａと後面１０ｂを有した矩形平板状に形成され、右縦枠体２２に上下方向を軸として開閉可能に支持されて、ドア枠２０内に開閉可能に配設されている。本実施形態では、前側に開くように形成されている。
【００２３】
開き扉１０の左側の端部付近には、既存の施錠鍵１１とドアハンドル１２が配設されている。
【００２４】
開き扉１０と、上横枠体２３と、を架け渡すようにディレードアクション機能を有したドアクローザ１３が配設されている。ディレードアクション機能を有したドアクローザ１３は、開き扉１０の開き角度が、１８０°から７５〜６０°程度までゆっくり閉まり、歩行が困難な者の通行に配慮したものである。
【００２５】
本考案の要部を以下に説明する。
【００２６】
図１〜３に示すとおり、開き扉１０には、手摺３０が配設されている。手摺３０は、開き扉１０の後面１０ｂ（実用新案登録請求の範囲の開き扉の押す側の面に相当する）に止着されている。
【００２７】
手摺３０は、金属製のパイプが用いられ、第一頂部３１と、第二頂部３２と、第三頂部３３を有し、略Ｗ字状に形成され、左端部３０ａ及び右端部３０ｂにおいて開き扉１０の後面１０ｂに固着されている。手摺３０は、側面視において、開き扉１０の後面１０ｂに対して９０°の角度を有するように配置されている。
【００２８】
手摺３０は、平面視において、第一頂部３１を含んで、第一頂部３１と第三頂部３３との間の部分が、第一押圧部３４とされ、第二頂部３２を含んで、第二頂部３２と開き扉１０の後面１０ｂとの間の部分が、第二押圧部３５とされている。
【００２９】
第一押圧部３４は、平面視において、開き扉１０の後面１０ｂに対して、４５°傾斜するように形成されている直線部３４ａを有している。
【００３０】
第二押圧部３５は、平面視において、開き扉１０の後面１０ｂに対して９０°の角度を有するように形成されている直線部３５ａを有している。
【００３１】
第一頂部３１の開き扉１０の後面１０ｂからの最大突出位置Ｐ１は、第二頂部３２の開き扉１０の後面１０ｂからの最大突出位置Ｐ２より、開き扉１０の後面１０ｂから近い位置とされている。
【００３２】
第二頂部３２と第三頂部３３との間の部分には、手で把持可能に形成された把持部４０が左後側（開き扉１０の回動軸Ｏから遠ざかる側）に向かって延設されている。把持部４０は、平面視において、開き扉１０の後面１０ｂに対して、４５°傾斜して配置されている。
【００３３】
以下に本実施形態の手摺３０の、車椅子に乗った人が開き動作をする状況での使用方法の説明をする。
【００３４】
車椅子に乗った人が開き扉１０を押して開ける際には、車椅子が下がってしまうのを防止するため、車椅子のタイヤにブレーキをかける必要があり、移動が制限されることになる。
【００３５】
本実施形態では、開き扉１０の、第一設定角度は、４５°とし、第二設定角度は、９０°とする。
【００３６】
閉じられている開き扉１０を、図４に示すように、ドアハンドル１２を回動させて、開き扉１０を開閉可能の状態とし、第一押圧部３４を手で押し、開き扉１０を開く。開き扉１０が第一設定角度の４５°まで開くと、図５に示すように、第一押圧部３４の直線部３４ａが、左縦枠体２１と、右縦枠体２２とを結んだ線Ｗに対して略平行となり、手で押し込みやすい状態を確保する。
【００３７】
さらに押し込んで第一押圧部３４が遠ざかり、手が届きづらくなったら、手を把持部４０に持ちかえて押し込む。このとき、把持部４０は第一押圧部３４より、左縦枠体２１と、右縦枠体２２とを結んだ線Ｗに近い位置あるので、持ちかえは容易となる。
【００３８】
把持部４０が遠ざかり、手が届きづらくなったら、図６に示すように、手を第二押圧部３５に持ちかえることで、段階的に開き扉１０を押し込むことが可能となる。このとき、第二押圧部３５は把持部４０より、左縦枠体２１と、右縦枠体２２とを結んだ線Ｗに近い位置あるので、持ちかえは容易となる。
【００３９】
開き扉１０が第二設定角度の９０°まで開くと第二押圧部３５の直線部３５ａが、左縦枠体２１と、右縦枠体２２とを結んだ線Ｗに対して略平行となり、手で押し込みやすい状態を確保する。
【００４０】
以上のことより、車椅子に乗って移動できない場合においても、図４に示すように、二点鎖線であらわした手の可動範囲Ａ内で開き扉１０の開き動作を行なうことができる。
【００４１】
第二押圧部３５は、第一押圧部３４より、開き扉１０の回動軸Ｏからの距離が近いので、開き扉１０を開けるには大きな力が必要となるが、第一押圧部３４の開き扉１０の後面１０ｂからの最大突出位置Ｐ１より、第二押圧部３５の前側の端部となる第二頂部３２の最大突出位置Ｐ２を開き扉１０の後面１０ｂから遠い位置となるように形成することで、開き扉１０を開けるのに必要な力を減少させることが可能となる。
【００４２】
一方、第一押圧部３４は、第二押圧部３５より、開き扉１０の回動軸Ｏからの距離が遠いので、開き扉１０を開けるには、第二押圧部３５のように大きな力が必要はなくなる。第一押圧部３４の前側の端部となる第一頂部３１の開き扉１０の後面１０ｂからの最大突出位置Ｐ１は、手で押し込むことができるのであれば、第二押圧部３５の開き扉１０の後面１０ｂからの最大突出位置Ｐ２より、開き扉１０の後面１０ｂから近い位置となるように形成することができる。
【００４３】
上記の構成の手摺３０では、ドア枠２０内に開閉自在に配設され、少なくとも一方の面を押すことで開く開き扉１０の、押す側の面（後面１０ｂ）に取り付けられる手摺であって、開き扉１０に取り付けられた状態における平面視において、開き扉１０と反対側に突出するように形成された第一頂部３１と、第一頂部３１より開き扉１０の回動軸Ｏ側に位置して開き扉１０と反対側に突出するように形成された第二頂部３２と、第一頂部３１と第二頂部３２との間に位置して開き扉１０側に突出するように形成された第三頂部３３と、を有して略Ｗ字状に形成され、第一頂部３１を含んで、第一頂部３１と第三頂部３３との間の部分を第一押圧部３４とし、第二頂部３２を含んで、第二頂部３２と第二頂部３２に近い側の右端部３０ｂとの間の部分を第二押圧部３５としている。
【００４４】
これによれば、開き扉１０の回動軸Ｏから遠い側に位置する第一押圧部３４が、手で押され開き扉１０の回動に伴って人から離れていっても、開き扉１０の回動軸Ｏに近い側に位置する第二押圧部３５を手で押すことが可能となる。換言すれば、第一押圧部３４、第二押圧部３５の順に、開き扉１０の回動に応じて手で押すことが可能な位置に段階的に移動し、開き扉１０の開き角度が大きくなっても、体全体を移動させずに手の可動範囲Ａ内で押すことが可能となる。
【００４５】
よって、歩行が困難な者であっても、開き扉１０の開き動作を容易にすることができる。
【００４６】
また、第一頂部３１の最大突出位置Ｐ１が、第二頂部３２の最大突出位置Ｐ２より、開き扉１０の後面１０ｂから近い位置にあるように形成している。
【００４７】
これによれば、第一頂部３１の突出量が小さいと、第一頂部３１と第三頂部３３との間の第一押圧部３４も突出量が小さくなる。換言すれば、第一押圧部３４は、開き扉１０の回動軸Ｏからの距離が遠く開き扉１０の開き動作に必要な力は小さいので、開き扉１０の後面１０ｂからの位置を、開き扉１０の回動軸Ｏからの距離が近い第二押圧部３５のように、開き扉１０の後面１０ｂから離す必要がなくなる。よって、開き扉１０から突出する部分が少なくなり、開き扉１０付近の有効スペースを広くすることができる。
【００４８】
また、第二頂部３２と第三頂部３３との間の部分に、手で把持可能に形成された把持部４０を、平面視において、開き扉１０の回動軸Ｏから遠ざかる側に突出して配設しているので、第一押圧部３４と第二押圧部３５との間に補助的な動作位置を有することになるので、開き扉１０の開き動作をスムーズに行なうことが可能となる。
【００４９】
また、第一押圧部３４は、開き扉１０が第一設定角度に開いたときに、平面視において、ドア枠２０を構成する一対の左縦枠体２１及び右縦枠体２２を結んだ線Ｗに対して略平行となるように、開き扉１０の後面１０ｂに対して角度を有して配設される部分を有し、第二押圧部３５は、開き扉１０が第一設定角度より大きい角度に設定された第二設定角度に開いたときに、平面視において、ドア枠２０を構成する一対の左縦枠体２１及び右縦枠体２２を結んだ線Ｗに対して略平行となるように、開き扉１０の後面１０ｂに対して角度を有して配設される部分を有する構成としている。
【００５０】
これによれば、開き扉１０が、第一設定角度及び第二設定角度の開き角度になったときに、第一押圧部３４及び第二押圧部３５は、それぞれドア枠２０を構成する一対の左縦枠体２１及び右縦枠体２２を結んだ線Ｗに対して略平行な部分が生じ、開き扉１０が、第一設定角度及び第二設定角度付近の開き角度になったときに、第一押圧部３４及び第二押圧部３５を手で押しやすい状態とすることが可能となる。
【００５１】
また、把持部４０を、開き扉１０が第一設定角度以上第二設定角度以下の４５°に開いたときに、平面視において、ドア枠２０を構成する一対の左縦枠体２１及び右縦枠体２２を結んだ線Ｗに対して略平行となるように配設しているので、開き扉１０が、付近の開き角度になったときに、把持部４０を手で押しやすい状態とすることが可能となる。
【００５２】
なお、把持部４０は、平面視において、４５°〜９０°の範囲内で任意の角度を設定して、開き扉１０の後面１０ｂに対し傾斜して配置することも可能である。
【００５３】
また、把持部４０を設けないときには、第一押圧部３４が遠ざかり、手が届きづらくなったら、手を第二押圧部３５に持ちかえることで、段階的に開き扉１０を押し込むことが可能となる。
【００５４】
また、本実施形態では、開き扉１０を金属で形成したが材料としては、例えば、木材、合成樹脂等の既存の全てのものを用いることができる。さらに、開き扉１０の構造もハニカム構造等既存の全てのものを用いることができる。
【００５５】
また、手摺３０は、金属製のパイプが用いられているが、中実の棒部材を用いたり、合成樹脂で形成したりすることができる。
【符号の説明】
【００５６】
１０  開き扉
２０  ドア枠
２１  左縦枠体
２２  右縦枠体
３０  手摺
３０ｂ  右端部
３１  第一頂部
３２  第二頂部
３３  第三頂部
３４  第一押圧部
３４ａ  直線部
３５  第二押圧部
３５ａ  直線部
４０  把持部
Ｏ  回動軸
Ｐ１  最大突出位置
Ｐ２  最大突出位置
Ｗ  線
【図１】
0003181965.tif 000003
【図２】
0003181965.tif 000004
【図３】
0003181965.tif 000005
【図４】
0003181965.tif 000006
【図５】
0003181965.tif 000007
【図６】
0003181965.tif 000008
【図７】
0003181965.tif 000009